(57)【要約】【課題】無線受信機において、希望波信号の周波数と近接する所定の妨害周波数の妨害波信号の影響を少なくし、適正に希望波信号を受信可能にする。【解決手段】無線受信機１００は、アンテナ１で受信され入力された無線信号の中の希望波信号を減衰させ、妨害波信号を取り出すフィルタ２と、その妨害波信号の位相を反転する位相反転部３と、所定の妨害周波数の加算信号を生成する発振部６と、その加算信号のレベルを調節するレベル調節部５と、位相が反転された妨害波信号の位相に加算信号の位相を同期させる位相同期部４と、位相同期部４を通過した加算信号が入力される加算器７を有している。加算器７では、入力された無線信号に、その無線信号に含まれる妨害波信号と逆位相でレベルがほぼ同じである加算信号が加算されるので、無線信号中の妨害波信号のレベルが小さくなる。フィルタ２には、狭帯域で急峻な特殊なものを用いる必要がない。【選択図】図１
2008206103.tif 000002
【特許請求の範囲】
【請求項１】
無線信号が入力され、その無線信号に含まれる希望周波数の希望波信号を受信する無線受信機であって、
入力された無線信号の中から前記希望波信号を減衰させ、前記希望周波数近傍の所定の妨害周波数の妨害波信号を取り出すフィルタと、
前記フィルタを通過して取り出された妨害波信号の位相を反転する位相反転部と、
前記所定の妨害周波数で発振し、前記妨害周波数の加算信号を生成する発振部と、
前記発振部で生成された前記加算信号のレベルを調節するためのレベル調節部と、
前記位相反転部により位相が反転された妨害波信号の位相と前記発振部にて生成された前記加算信号の位相とを比較し、前記加算信号の位相を前記妨害波信号の位相に同期させる位相同期部と、
入力された無線信号に前記位相同期部を通過した加算信号を加算し、入力された無線信号に含まれる妨害波信号のレベルを小さくする加算器とを備えたことを特徴とする無線受信機。
【請求項２】
前記加算器を通過した無線信号に含まれる前記妨害波信号のレベルを測定する除去レベル測定部と、
前記除去レベル測定部により測定された前記妨害波信号のレベルが最小になるように、前記レベル調節部による前記加算信号のレベル調節を制御する制御部とをさらに備えたことを特徴とする請求項１記載の無線受信機。
【請求項３】
前記フィルタを、互いに周波数特性が異なり、入力された無線信号に対し互いに並列に接続されるように複数個備え、
前記発振部は、前記複数個のフィルタの各周波数特性にそれぞれ対応する複数の所定の妨害周波数で発振可能に構成されており、
入力された無線信号に適用するフィルタを前記複数個のフィルタから選択するスイッチ選択入力部と、
入力された無線信号が前記スイッチ選択入力部により選択されたフィルタを通過したうえで前記位相反転部に入力されるように前記妨害波信号の経路を切り替えるスイッチと、
前記発振部が前記スイッチ選択入力部により選択されたフィルタの周波数特性に対応する妨害周波数で発振するように、前記発振部を制御する妨害周波数制御部とをさらに備え、
入力された無線信号から、前記スイッチ選択入力部により選択されたフィルタに対応する妨害波信号のレベルを選択的に小さくすることを特徴とする請求項１又は請求項２に記載の無線受信機。
【請求項４】
前記フィルタ、前記位相反転部、前記位相同期部、前記レベル調節部、及び前記発振部により構成される妨害波対策部を複数個備え、
前記各妨害波対策部の前記フィルタ及び前記発振部は、それぞれ、互いに異なる所定の妨害周波数に対応しており、
前記加算器は、入力された無線信号に前記各妨害波対策部の位相同期部を通過した加算信号を加算するように構成されており、
入力された無線信号に含まれる妨害波信号のうち、複数の所定の妨害周波数の妨害波信号のレベルをそれぞれ小さくすることを特徴とする請求項１乃至請求項３のいずれか１項に記載の無線受信機。
【請求項５】
前記フィルタを通過して取り出された前記妨害波信号のレベルを測定する入力測定部と、
前記入力測定部により測定された前記妨害波信号のレベル値の、所定の閾値に対する大／小に応じて、前記妨害波対策部の動作状態／スタンバイ状態を切り替える状態制御部とをさらに備えていることを特徴とする請求項１乃至請求項４のいずれか１項に記載の無線受信機。
【請求項６】
前記状態制御部の前記所定の閾値の設定を変更可能な閾値設定部をさらに備え、前記妨害波対策部の動作頻度を変更可能に構成されていることを特徴とする請求項５記載の無線受信機。
【発明の詳細な説明】
【技術分野】
【０００１】
本発明は、無線信号を受信する無線受信機に関し、特に、受信対象となる希望波信号に近接する周波数の妨害波信号の影響を受けにくいものに関する。
【背景技術】
【０００２】
無線信号に含まれる希望波信号を受信する無線受信機では、アンテナ等から入力された無線信号中に、妨害波信号が含まれることがある。例えば、無線通信により子機（送信機）から親機（受信機）にデータを送信するようなネットワークシステム等において、当該システムに近接する位置に他のシステムの子機が設置されているような場合、当該システムにて使用される希望波信号に周波数が近接した妨害波信号が、他のシステムの子機から発信されて親機に届き、親機が当該システムの希望波信号を適正に受信できないことがある。
【０００３】
従来、このような妨害波信号の影響が少なくなるようにした無線受信機としては、例えば特許文献１に示されているように、希望波信号を受信するためのアンテナと、妨害波信号を受信するためのアンテナとを用いて、受信した妨害波信号と逆位相となる信号を希望波信号が含まれる無線信号に加算し、妨害波信号を除去できるようにした無線受信機が知られている。しかしながら、特許文献１に示されているような従来の無線受信機では、アンテナが２つ必要であり、また、逆位相となる信号を発生させるために装置が大がかりになるという問題がある。また、周波数変換により受信した信号から妨害波信号を取り出す際、受信した信号には存在しないスプリアスが発生し、無線信号に、逆位相とした信号と共にスプリアスが加算される可能性がある。 
【０００４】
他方、例えば、妨害波信号を減衰させるフィルタを無線受信機に搭載することにより、妨害波信号の影響を少なくすることも考えられる。しかしながら、妨害波信号の妨害周波数が希望波信号の希望周波数に近いため、フィルタにより妨害波信号を減衰させるには、妨害周波数を含む狭帯域で急峻な周波数特性を有する特殊で高価なフィルタを用いる必要があり、無線受信機の製造コストが増加してしまう。また、妨害周波数が希望周波数にごく近接しているような場合には、妨害波信号のみに対応するフィルタを用意することができないことがある。
【特許文献１】特開昭５２‐３２６２１号公報
【発明の開示】
【発明が解決しようとする課題】
【０００５】
本発明は、上記問題点を鑑みてなされたものであり、特殊なフィルタ等を用いることなく、希望波信号の周波数と近接する所定の妨害周波数の妨害波信号の影響を少なくし、適正に希望波信号を受信することができる無線受信機を提供することを目的とする。
【課題を解決するための手段】
【０００６】
上記目的を達成するため、請求項１の発明は、無線信号が入力され、その無線信号に含まれる希望周波数の希望波信号を受信する無線受信機であって、入力された無線信号の中から前記希望波信号を減衰させ前記妨害波信号を取り出すフィルタと、前記フィルタを通過して取り出された妨害波信号の位相を反転する位相反転部と、前記所定の妨害周波数で発振し、前記妨害周波数の加算信号を生成する発振部と、前記発振部で生成された前記加算信号のレベルを調節するためのレベル調節部と、前記位相反転部により位相が反転された妨害波信号の位相と前記発振部にて生成された前記加算信号の位相とを比較し、前記加算信号の位相を前記妨害波信号の位相に同期させる位相同期部と、入力された無線信号に前記位相同期部を通過した加算信号を加算し、入力された無線信号に含まれる妨害波信号のレベルを小さくする加算器とを備えたものである。
【０００７】
請求項２の発明は、請求項１の発明において、前記加算器を通過した無線信号に含まれる前記妨害波信号のレベルを測定する除去レベル測定部と、前記除去レベル測定部により測定された前記妨害波信号のレベルが最小になるように、前記レベル調節部による前記加算信号のレベル調節を制御する制御部とをさらに備えたものである。
【０００８】
請求項３の発明は、請求項１又は請求項２の発明において、前記フィルタを、互いに周波数特性が異なり、入力された無線信号に対し互いに並列に接続されるように複数個備え、前記発振部は、前記複数個のフィルタの各周波数特性にそれぞれ対応する複数の所定の妨害周波数で発振可能に構成されており、入力された無線信号に適用するフィルタを前記複数個のフィルタから選択するスイッチ選択入力部と、入力された無線信号が前記スイッチ選択入力部により選択されたフィルタを通過したうえで前記位相反転部に入力されるように前記妨害波信号の経路を切り替えるスイッチと、前記発振部が前記スイッチ選択入力部により選択されたフィルタの周波数特性に対応する妨害周波数で発振するように、前記発振部を制御する妨害周波数制御部とをさらに備え、入力された無線信号から、前記スイッチ選択入力部により選択されたフィルタに対応する妨害波信号のレベルを選択的に小さくするものである。
【０００９】
請求項４の発明は、請求項１乃至請求項３のいずれか１項の発明において、前記フィルタ、前記位相反転部、前記位相同期部、前記レベル調節部、前記発振部、前記制御部により構成される妨害波対策部を複数個備え、前記各妨害波対策部の前記フィルタ及び前記発振部は、それぞれ、互いに異なる所定の妨害周波数に対応しており、前記加算器は、入力された無線信号に前記各妨害波対策部の位相同期部を通過した加算信号を加算するように構成されており、入力された無線信号に含まれる妨害波信号のうち、複数の所定の妨害周波数の妨害波信号のレベルをそれぞれ小さくするものである。
【００１０】
請求項５の発明は、請求項１乃至請求項４のいずれか１項の発明において、前記フィルタを通過して取り出された前記妨害波信号のレベルを測定する入力測定部と、前記入力測定部により測定された前記妨害波信号のレベル値の、所定の閾値に対する大／小に応じて、前記妨害波対策部の動作状態／スタンバイ状態を切り替える状態制御部とをさらに備えているものである。
【００１１】
請求項６の発明は、請求項５の発明において、前記状態制御部の前記所定の閾値の設定を変更可能な閾値設定部をさらに備え、前記妨害波対策部の動作頻度を変更可能に構成されているものである。
【発明の効果】
【００１２】
請求項１の発明によれば、フィルタを用いて入力された無線信号の中から希望波信号を減衰させて妨害波信号を取り出し、発振部及び位相同期部により生成された加算信号を生成し、加算器により入力された無線信号に加算信号を加えて、妨害波信号のレベルを小さくすることができる。従って、特殊なフィルタや２つのアンテナ等を必要とすることなく、希望波信号の周波数と近接する所定の妨害周波数の妨害波信号の影響を小さくし、適正に希望波信号を受信することができる。
【００１３】
請求項２の発明によれば、除去レベル測定部により測定された妨害波信号のレベルが最小になるように、制御部がレベル調節部を自動的に制御するので、ユーザが面倒なレベル調節部の調整作業を行う必要がなくなり、無線受信機の設置作業や保守作業が容易になる。
【００１４】
請求項３の発明によれば、入力される無線信号に適用するフィルタと発振部の発信する妨害周波数とを共に切り替えて、複数の妨害周波数の妨害波信号にも対応することができるので、例えばソフトウェア無線やリコンフィギュラブル無線のように、受信する希望波信号の希望周波数を大きく変えることができる場合であっても、その希望周波数の近傍の妨害周波数の妨害波信号の影響を小さくし、適正にその希望波信号を受信することができる。
【００１５】
請求項４の発明によれば、互いに異なる所定の妨害周波数に対応する妨害波対策部を複数個備えており、加算器は、入力された無線信号に各妨害波対策部の位相同期部を通過した加算信号を加算するので、同時に複数の妨害周波数の妨害波信号が含まれている場合でも、それらの妨害波信号の影響を小さくすることができる。従って、例えば、従来特殊なフィルタを用いても除去することができなかったインバンドにおける妨害波信号と、イメージ周波数等のアウトオブバンドの影響の大きい妨害波信号と等、複数の妨害波信号の影響を同時に小さくすることができ、適正に希望波信号を受信することができる。
【００１６】
請求項５の発明によれば、入力測定部により測定された妨害波信号のレベル値の所定の閾値に対する大／小に応じて、状態制御部が、妨害波対策部の動作状態／スタンバイ状態を切り替えるので、妨害波信号のレベル値が小さい場合は妨害波対策部がスタンバイ状態となり、無線受信機が省電力化される。
【００１７】
請求項６の発明によれば、状態制御部の閾値設定部により所定の閾値を変更可能であるので、妨害波信号のレベル値が大きくても比較的適正に希望波信号を受信することができる場合には、所定の閾値を大きく設定して妨害波対策部が動作状態となる頻度を下げることができ、それにより、無線受信機をより省電力化させることができる。
【発明を実施するための最良の形態】
【００１８】
以下、本発明の第１の実施形態について図面を参照しつつ説明する。図１は、本実施形態に係る無線受信機を示す。無線受信機１００は、無線波を受信するアンテナ１と、アンテナ１から入力された無線信号に含まれる妨害波信号の影響を少なくするために、後述するように加算信号を生成する妨害波対策部５０と、入力された無線信号に加算信号を加算する加算器７と、及び加算器７を通過した信号を増幅するＬＮＡ（Low Noise Amplifier）８等で構成されている。アンテナ１で受信された無線信号は２系統に分岐され、加算器７と妨害波対策部５０に入力される。また、ＬＮＡ８で増幅された信号は、受信回路等に出力される。なお、図において、Ｆｃは希望周波数の希望波信号を示し、Ｆｉは、希望周波数の近傍の所定の妨害周波数の妨害波信号を示す。無線受信機１００は、アンテナ１から入力された無線信号のうち、既知の所定の妨害周波数の妨害波信号のレベルを小さくすることができるように構成されている。
【００１９】
妨害波対策部５０は、アンテナ１で受信された無線信号が入力されるフィルタ２と、フィルタ２から信号が入力される位相反転部３と、位相反転部３及び加算器７に接続された位相同期部４と、位相同期部４に接続されたレベル調節部５と、レベル調節部５に接続され、加算信号を生成する発振部６等で構成されている。妨害波対策部５０は、外部から電源が供給されて駆動される。フィルタ２は、入力された無線信号の中から希望波信号を減衰させるように構成されている。位相反転部３は、フィルタ２を通過した信号の位相を反転させる。発振部６は、既知の所定の妨害周波数で発振し、周波数が妨害周波数である加算信号を生成するように構成されている。レベル調節部５は、例えばユーザによる調整操作が加えられることにより、入力された信号のレベルを調節可能に構成されている。位相同期部４は、位相反転部３から入力された信号の位相とレベル調節部５から入力された信号の位相を比較し、レベル調節部５から入力された信号の位相を位相反転部３から入力された信号の位相に同期させるように構成されている。
【００２０】
図２は、無線受信機１００の動作を示す。以下、図２を参照し、無線波受信時の無線受信機１の各部の動作について説明する。先ず、アンテナ１が無線信号（Ｆｃ＋Ｆｉ）を受信すると、受信された無線信号は２系統に分岐され、一方は加算器７に、他方はフィルタ２に入力される（Ｓ１０１）。無線信号がフィルタ２を通過することにより、無線信号（Ｆｃ＋Ｆｉ）に含まれる希望波信号（Ｆｃ）が減衰され、希望波信号のレベルが低い妨害波信号（（Ｆｃ）＋Ｆｉ）が取り出される（Ｓ１０２）。このとき、妨害波信号は、位相同期部４で同期を取ることができる程度のレベルであればよく、希望波信号を大幅に減衰させる必要は無い。すなわち、フィルタ２には、さほど狭帯域で急峻ではない、安価なものを用いることができる。フィルタ２を通過した妨害波信号（（Ｆｃ）＋Ｆｉ）は、位相反転部３にて、位相が反転された後（Ｓ１０３）、位相同期部４に入力される。
【００２１】
ここで、レベル調節部５は、予めユーザによりレベル設定作業が行われており、発振部６で生成された加算信号が通過すると、その加算信号がフィルタ２を通過した妨害波信号と略同レベルになるように構成されている。レベル設定作業は、例えば、予めフィルタ２を通過した妨害波信号のレベルをスペクトラムアナライザなどで確認しながら、レベル調節部５を通過する加算信号がその妨害波信号のレベルと略同じになるようにレベル調節部５を調節することにより行われる。レベル調節部５を通過した加算信号は、位相同期部４に入力される。
【００２２】
位相同期部４では、位相反転部３により位相が反転された妨害波信号（−（Ｆｃ）−Ｆｉ））の位相と発振部６にて生成されレベル調節された加算信号（−Ｆｉ）の位相とを比較し、加算信号の位相を妨害波信号の位相に同期させる（Ｓ１０４）。位相同期部４は、例えば、レベル調節部５から加算信号入力される可変位相変換器（図示せず）を有しており、この可変位相変換器の動作により加算信号の位相が変化され、妨害波信号と位相が同期されるように構成されている。両信号間で同期が確立されると（Ｓ１０５：ｙｅｓ）、位相同期部４から加算器７に、妨害波信号に同期された加算信号（−Ｆｉ）が出力される。加算器７では、アンテナ１から入力された無線信号に前記位相同期部を通過した加算信号が加算される（Ｓ１０６）。このとき、アンテナ１から入力された無線信号のうち、所定の妨害周波数の妨害波信号に、それと逆位相で振幅が略同レベルの加算信号が加算されるため、無線信号から妨害波信号のみが打ち消され、妨害波信号のレベルが下がる（Ｓ１０７）。従って、加算器７からの出力は、妨害波信号のレベルが低い希望波信号（Ｆｃ）のみを含む信号になる。加算器７からの出力は、例えば、ＬＮＡ８に入力されて増幅された後、受信回路等に入力され復調される。
【００２３】
このように、本実施形態においては、入力された無線信号に、発振部６で生成された加算信号を加算して妨害波信号のレベルを小さくするので、特殊なフィルタや２つのアンテナ等を必要とすることなく、希望波信号の周波数と近接する所定の妨害周波数の妨害波信号の影響を小さくすることができる。また、周波数変換等の処理を行わないので、スプリアスが発生することがない。従って、インバンドの妨害波信号が含まれる場合であっても、適正に希望波信号を受信することが可能になる。
【００２４】
図３は、本発明の第２の実施形態に係る無線受信機を示す。以下の実施形態において、上述の実施形態と同様に構成されている部位には同一の符号を付し、上述の実施形態と相違する部分についてのみ説明する。無線受信機２００は、第１の実施形態の無線受信機１００の各部位に加え、加算器７を通過した無線信号に含まれる妨害波信号のレベル（以下、出力妨害波レベルと称する）を測定する除去レベル測定部９と、レベル調節部５を制御し、レベル調節部５のレベル設定を変更する制御部１０とを有している。制御部１０は、妨害波対策部５２に含まれている。
【００２５】
図４は、無線受信機２００の動作を示す。無線受信機２００は、第１の実施形態の無線受信機１００と同様に、入力された無線信号に含まれる妨害波の除去を行う（Ｓ２０１乃至Ｓ２０７）。加算器７を通過した無線信号はＬＮＡ８に入力されるが、そのとき、除去レベル測定部９が、加算器７を通過した無線信号について出力妨害波レベルを測定する（Ｓ２０８）。そして、制御部１０は、その出力妨害波レベルの測定値に基づき、レベル調節部５のレベル設定を出力妨害波レベルが小さくなるように変更し、入力された無線信号に加算される加算信号のレベル調節を行う（Ｓ２０９）。その後、制御部１０によりレベル調節が行われた後の出力妨害波レベルを除去レベル測定部９が再度測定し（Ｓ２１０）、制御部１０は、出力妨害波レベルの測定値が略最小の数値になったかどうか判断し、出力妨害波レベルが最小でなければ（Ｓ２１１：ｎｏ）、再度レベル設定を変更する（Ｓ２０９）。制御部１０は、除去レベル測定部９により測定される出力妨害波レベルが最小となるまでレベル設定を変更し、出力妨害波レベルが最小となるように最適化した状態で（Ｓ２１１：ｙｅｓ）、レベル調節部５のレベル設定を固定する（Ｓ２１２）。
【００２６】
このように、第２の実施形態においては、加算器７を通過した無線信号の出力妨害波レベルが最小となるように、制御部１０がレベル調節部５のレベル設定を自動的にフィードバック制御するので、耐妨害波特性が向上し、また、面倒なレベル調節部５のレベル設定作業をユーザが行う必要がなくなり、無線受信機２００の設置作業や保守作業が容易になる。
【００２７】
図５は、本発明の第３の実施形態に係る無線受信機を示す。無線受信機３００の妨害波対策部５３は、共にアンテナ１から無線信号が入力されるように、アンテナ１に対し互いに並列に接続された２つのフィルタ２１及びフィルタ２２を有している。また、フィルタ２１，２２と位相反転部３との間には、フィルタ２１，２２をそれぞれ通過した無線信号のいずれかを選択して位相反転部３に入力させるスイッチ１２を有している。そして、妨害波対策部５３は、例えばユーザにより操作可能な、スイッチ１２を切り替えるためのスイッチ選択入力部１３と、スイッチ選択入力部１３の選択に応じて発振部３０６を制御する妨害周波数制御部１４とを有している。なお、無線受信機３００は、第２の実施形態と同様に、除去レベル測定部９と制御部１０とを有している。
【００２８】
フィルタ２１及びフィルタ２２は、例えば２．４ＧＨｚ帯と５．０ＧＨｚ帯をそれぞれ対象とするような、互いに周波数特性が異なるものである。これにより、無線受信機３００は、２つの妨害周波数の妨害波信号のうち一方の出力妨害波レベルを下げることができるように構成されている。スイッチ１２は、スイッチ選択入力部１３により選択されたフィルタが、位相反転部３に入力される無線信号に適用されるように、スイッチ選択入力部１３の選択に応じて、フィルタ２１，２２と位相反転部３とを接続する無線信号の経路を切り替えるように構成されている。第３の実施形態においては、発振部３０６は、妨害周波数制御部１４による制御のもと、フィルタ２１，２２の各周波数特性にそれぞれ対応する２つの所定の妨害周波数で発振可能に構成されている。
【００２９】
図６は、無線受信機３００の動作を示す。無線受信機３００は、アンテナ１が無線信号を受信すると、受信された無線信号は３系統に分岐され、１つは加算器７に、他の２つはフィルタ２１，２２に入力される（Ｓ３０１）。無線信号が各フィルタ２１，２２を通過することにより、各フィルタ２１，２２に対応する所定の妨害周波数の妨害波信号が、各無線信号から取り出される（Ｓ３０２）。ここで、スイッチ１２は、フィルタ２１，２２のうちスイッチ選択入力部１３により選択された方を通過した無線信号を位相反転部３に入力させる。すなわち、スイッチ選択入力部１３により、位相反転部３に入力される妨害波信号が選択される（Ｓ３０３）。他方、スイッチ選択入力部１３による選択に応じて、妨害周波数制御部１４は、スイッチ選択入力部１３により選択される妨害波信号の所定の妨害周波数で発振部３０６を発振させる（Ｓ３０４）。これにより、スイッチ選択入力部１３により選択される妨害波信号と同じ所定の妨害周波数の加算信号が生成される。以後、加算信号を妨害周波数に同期させ（Ｓ３０５乃至Ｓ３０７）、アンテナ１から入力された無線信号に加算信号を加算して、スイッチ選択入力部１３により選択される妨害波信号のレベルを小さくする（Ｓ３０８，Ｓ３０９）と共に、出力妨害波レベルが最小となるようにレベル調節部５のレベル設定を最適化する（Ｓ３１０乃至Ｓ３１４）動作が、上述の第２の実施形態の無線受信機２００と同様に行われる。
【００３０】
このように、無線受信機３００では、希望波信号の希望周波数を切り替えるとき等に、スイッチ選択入力部１３により、入力される無線信号に適用するフィルタを切り替え、除去対象とする妨害波信号を２つの所定の妨害周波数の妨害波信号から選択することができる。例えば、希望波信号の希望周波数を２．４ＧＨｚから５ＧＨｚに切り替えるような場合、スイッチ選択入力部１３が選択するフィルタを、それまで選択していた２．４ＧＨｚのインバンドの妨害波信号を取り出すフィルタ２１から、他方の５．０ＧＨｚのインバンドの妨害波信号を取り出すフィルタ２２に切り替えることにより、切り替え前後で選択的にそれぞれの希望周波数近傍における妨害波信号の出力妨害波レベルを下げることが可能である。すなわち、第３の実施形態においては、例えばソフトウェア無線やリコンフィギュラブル無線のように受信する希望波信号の希望周波数を大きく変えることができるような場合であっても、その希望周波数の近傍の妨害周波数の妨害波信号の影響を小さくし、適正にその希望波信号を受信することができる。
【００３１】
図７は、本発明の第４の実施形態に係る無線受信機を示す。無線受信機４００は、２つの妨害波対策部５０ａ，５０ｂを有している。各妨害波対策部５０ａ，５０ｂは、それぞれ、互いに異なる所定の妨害周波数に対応した、フィルタ２ａ及び発振部６ａと、フィルタ２ｂ及び発振部６ｂとを有している。この無線受信機４００では、加算器７に、各妨害波対策部５０ａ，５０ｂの位相同期部４から互いに異なる妨害周波数の２つの加算信号（−Ｆｉ１，−Ｆｉ２）が入力され、入力された無線信号（Ｆｃ＋Ｆｉ１＋Ｆｉ２）から、２つの妨害周波数の妨害波信号（Ｆｉ１，Ｆｉ２）を除去することができるように構成されている。なお、無線受信機４００は、第２の実施形態と同様に、除去レベル測定部９と、各妨害波対策部５０ａ，５０ｂに設けられた制御部１０とを有している。
【００３２】
図８は、無線受信機４００の動作を示す。各妨害波対策部５０ａ，５０ｂは、それぞれ、アンテナ１から無線信号が入力されると（Ｓ４０１）、第１の実施形態と同様に、それぞれの妨害波対策部５０ａ，５０ｂが対応する妨害周波数の妨害波信号と位相が反対で同期された加算信号を加算器７に出力する（Ｓ４０２乃至Ｓ４０５、Ｓ４０６乃至Ｓ４０９）。そして、加算器７では、入力された無線信号に２つの加算信号が加算され（Ｓ４１０）、無線信号から２つの妨害周波数の妨害波信号が除去される（Ｓ４１１）。その後、第２の実施形態と同様に、加算信号のレベル設定の最適化が、妨害波信号毎に行われる（Ｓ４１２乃至Ｓ４１６）。
【００３３】
このように、第４の実施形態においては、入力された無線信号に同時に２つの妨害周波数の妨害波信号が含まれている場合でも、それらの妨害波信号の影響を小さくすることができる。従って、例えば、従来、狭帯域で急峻な特殊なフィルタを用いても除去することができなかったインバンドにおける妨害波信号と、イメージ周波数等のアウトオブバンドの影響の大きい妨害波信号と等、２つの妨害波信号の影響を同時に小さくすることができ、適正に希望波信号を受信することができる。
【００３４】
図９は、本発明の第５の実施形態に係る無線受信機を示す。無線受信機５００は、第１の実施形態における無線受信機１００に、フィルタ２を通過して取り出された妨害波信号のレベル（以下、入力妨害波レベルと称する）を測定する入力測定部１５と、入力測定部１５により測定された入力妨害波レベルの値に応じて、妨害波対策部５０を動作状態／スタンバイ状態に切り替える状態制御部１６とが設けられて構成されている。
【００３５】
図１０は、無線受信機５００の動作を示す。無線受信機５００の電源が投入されると（Ｓ５０１）、妨害波対策部５０は、電源供給がされず発振部６等が駆動されていない、状態制御部１６からの命令を待つスタンバイ状態となる（Ｓ５０２）。このとき、アンテナ１から入力された無線信号はそのままＬＮＡ８に入力される。フィルタ２は電源供給がなされていない状態でも動作しており、アンテナ１からフィルタ２に無線信号が入力されると（Ｓ５０３）、フィルタ２を通過することにより無線信号から妨害波信号が取り出される（Ｓ５０４）。ここで、フィルタ２を通過した無線信号中の入力妨害波レベルは、入力測定部１５により測定され（Ｓ５０５）、その情報が状態制御部１６に入力される。状態制御部１６には、入力妨害波レベルに関する所定の閾値が予め設定されており、状態制御部１６は、その閾値と、測定された入力妨害波レベルとを比較する（Ｓ５０６）。このとき、入力妨害波レベルが閾値より小さければ（Ｓ５０７：ｎｏ）、状態制御部１６は、妨害波対策部５０をスタンバイ状態に保つ（Ｓ５０８）。反対に、入力妨害波レベルが閾値以上であれば（Ｓ５０７：ｙｅｓ）、妨害波信号を除去する必要があると判断し、妨害波対策部５０をスタンバイ状態から動作状態に切り替えるための信号が送出され、妨害波対策部５０の各部位が駆動される（Ｓ５０９）。妨害波対策部５０が動作状態である間は、第１の実施形態における無線受信機１００と同様に、入力された無線信号から妨害波信号を除去する動作が行われる（Ｓ５１０乃至Ｓ５１５）。なお、動作状態中に、入力妨害波レベルが閾値より小さくなったときには、状態制御部１６の制御により、妨害波対策部５０が再びスタンバイ状態に切り替えられる。
【００３６】
このように、本実施形態においては、入力妨害波レベルの所定の閾値に対する大／小に応じて、状態制御部１６が、妨害波対策部５０の動作状態／スタンバイ状態を切り替えるので、妨害波対策をする必要がないような、入力妨害波レベルが小さい場合には、妨害波対策部５０をスタンバイ状態にしておくことができ、無線受信機１００を省電力化することができる。
【００３７】
なお、第５の実施形態において、状態制御部１６に設定される閾値を変更可能に構成してもよい。図１１は、このように構成された無線受信機６００を示す。無線受信機６００は、状態制御部１６の閾値の設定を変更する閾値設定部１７を有している。無線受信機６００は、上記無線受信機５００と同様に、入力妨害波レベルが小さいときには妨害波対策部５０をスタンバイ状態にして動作する。
【００３８】
無線受信機６００は、閾値設定部１７により状態制御部１６の閾値の設定を変更し、妨害波対策部５０が動作状態となる頻度を変更可能である。例えば、無線受信機６００が、妨害波信号があるときでも比較的確実に希望波信号を受信可能であるような環境で使用されるときには、閾値設定部１７により状態制御部１６の閾値を高く設定し、例えば入力妨害波レベルが希望波信号を受信しにくくなる程度に高くなったときに妨害波対策部５０が動作状態になるようにする。このように状態制御部１６の閾値を変更し、妨害波対策部５０の動作頻度を低くすることにより、無線受信機６００をさらに省電力化することができる。
【００３９】
なお、本発明は上記実施形態の構成に限定されるものではなく、発明の趣旨を変更しない範囲で適宜に種々の変形が可能である。例えば、無線受信機は、アンテナを有さず、外部のアンテナに接続されて用いられるものであってもよい。また、例えば、妨害波対策部を３個以上有し、３つ以上の互いに異なる妨害周波数の妨害波信号のレベルを同時に小さくすることができるように構成されていてもよい。さらにまた、１つの妨害波対策部が、周波数特性が互いに異なる３個以上のフィルタを有しており、スイッチ選択入力部により選択されたいずれかのフィルタを適用して、所定の妨害周波数の妨害波信号のレベルを小さくすることができるように構成されていてもよい。
【図面の簡単な説明】
【００４０】
【図１】本発明の第１の実施形態に係る無線受信機の構成の一例を示すブロック図。
【図２】上記無線受信機の動作の流れを示すフローチャート。
【図３】本発明の第２の実施形態に係る無線受信機の構成の一例を示すブロック図。
【図４】上記無線受信機の動作の流れを示すフローチャート。
【図５】本発明の第３の実施形態に係る無線受信機の構成の一例を示すブロック図。
【図６】上記無線受信機の動作の流れを示すフローチャート。
【図７】本発明の第４の実施形態に係る無線受信機の構成の一例を示すブロック図。
【図８】上記無線受信機の動作の流れを示すフローチャート。
【図９】本発明の第５の実施形態に係る無線受信機の構成の一例を示すブロック図。
【図１０】上記無線受信機の動作の流れを示すフローチャート。
【図１１】上記無線受信機の一変形例を示すブロック図。
【符号の説明】
【００４１】
１  アンテナ
２，２ａ，２ｂ，２１，２２  フィルタ
３  位相反転部
４  位相同期部
５  レベル調節部
６，６ａ，６ｂ，３０６  発振部
７  加算器
９  除去レベル測定部
１０  制御部
１２  スイッチ
１３  スイッチ選択入力部
１４  妨害周波数制御部
１５  入力測定部
１６  状態制御部
１７  閾値設定部
５０，５０ａ，５０ｂ，５２，５３  妨害波対策部
Ｆｃ  希望波信号
Ｆｉ，Ｆｉ１，Ｆｉ２  妨害波信号（加算信号）
１００，２００，３００，４００，５００，６００  無線受信機
【図１】
2008206103.tif 000003
【図２】
2008206103.tif 000004
【図３】
2008206103.tif 000005
【図４】
2008206103.tif 000006
【図５】
2008206103.tif 000007
【図６】
2008206103.tif 000008
【図７】
2008206103.tif 000009
【図８】
2008206103.tif 000010
【図９】
2008206103.tif 000011
【図１０】
2008206103.tif 000012
【図１１】
2008206103.tif 000013